(57)【要約】【課題】機器が異常に電源断された際に警報で知らせることができる電源断検出回路を提供する。【解決手段】電源断検出回路１は、機器の電源電圧を電圧監視回路７により監視し、機器が電源断して電源電圧が所定電圧以下に低下すると電圧監視回路７から信号を出力して制御回路８が第２のリレー５をオンし、機器の電源スイッチ３がオフの場合、電源スイッチ３に連動する第１のリレー４はオフするため、制御回路８から警報が出力されず、機器の電源スイッチ３がオンの場合は第１のリレー４もオンするため、コンデンサ９から制御回路８に電力供給が行われ、制御回路８から外部に警報を出力する。【選択図】　　　　図１
2004112393.tif 000002
【特許請求の範囲】
【請求項１】
機器の電源断を検出する電源断検出回路において、前記機器の電源をオン・オフするための補助接点付きの電源スイッチと、該電源スイッチの補助接点に連動する第１のリレーと、該第１のリレーと直列に接続された第２のリレーと、内部回路で使用するための直流電圧を生成する電源回路と、該電源回路から出力される直流電圧の電圧値を監視し、電圧値によって信号を出力する電圧監視回路と、該電圧監視回路の出力信号を受けて前記第２のリレーを制御したり、外部に警報を出力する制御回路と、該制御回路に電力を供給するコンデンサとで構成し、前記機器が電源断して直流電圧が所定電圧以下に低下すると前記電圧監視回路から信号を出力して前記制御回路が前記第２のリレーをオンし、前記機器の電源スイッチがオフの場合、前記第１のリレーはオフして前記制御回路から警報が出力されず、前記機器の電源スイッチがオンの場合、第１のリレーもオンして前記コンデンサから前記制御回路に電力供給が行われ、前記制御回路から外部に警報を出力することを特徴とする電源断検出回路。
【発明の詳細な説明】
【０００１】
【発明の属する技術分野】
本発明は、機器の電源断を検出する電源断検出回路に関する。
【０００２】
【従来の技術】
機器の電源断を検出する電源断検出回路は、例えば特開平１０−３２２９３２号公報に開示される電源電圧監視回路がある。電源電圧監視回路は、電源供給元から交流電圧が供給される入力端子（１０）と、入力端子（１０）に供給された交流電圧を整流する整流回路（２０）と、この整流回路（２０）での整流が行われる前の交流電圧の電圧値を検出する電圧検出手段（４４）と、電圧検出手段（４４）が検出した電圧値が所定値以下になると警報信号を出力する警報手段（４５）とを備え、入力端子（１０）に交流電圧が正しく供給されなくなると、電圧検出回路（４０）での検出結果が直ちに所定値以下となるので、検出結果が所定値以下となった時点で、電圧検出回路（４０）がその旨を表す警報信号を出力するようになっている。
【０００３】
【発明が解決しようとする課題】
機器によっては電源スイッチのオフ以外による異常な電源断の際に点検等をするために電源断されたことを知りたいケースがあるが、従来の電源電圧監視回路では機器が正常に電源断されたか異常に電源断されたかがわからないという欠点があった。
【０００４】
そこで上記問題点に鑑み、本発明の目的は、機器が異常に電源断された際に警報で知らせることができる電源断検出回路を提供することである。
【０００５】
【課題を解決するための手段】
上記目的を達成するために、機器の電源断を検出する電源断検出回路において、機器の電源をオン・オフするための補助接点付きの電源スイッチと、電源スイッチの補助接点に連動する第１のリレーと、第１のリレーと直列に接続された第２のリレーと、内部回路で使用するための直流電圧を生成する電源回路と、電源回路から出力される直流電圧の電圧値を監視し、電圧値によって信号を出力する電圧監視回路と、電圧監視回路の出力信号を受けて第２のリレーを制御したり、外部に警報を出力する制御回路と、制御回路に電力を供給するコンデンサとで構成し、機器が電源断して直流電圧が所定電圧以下に低下すると電圧監視回路から信号を出力して制御回路が第２のリレーをオンし、機器の電源スイッチがオフの場合、第１のリレーはオフして制御回路から警報が出力されず、機器の電源スイッチがオンの場合、第１のリレーもオンしてコンデンサから制御回路に電力供給が行われ、制御回路から外部に警報を出力することを特徴とする。
【０００６】
【発明の実施の形態】
電源断検出回路は、機器の電源をオン・オフするための補助接点付きの電源スイッチと、電源スイッチの補助接点に連動する第１のリレーと、第１のリレーと直列に接続された第２のリレーと、内部回路で使用するための直流電圧を生成する電源回路と、電源回路から出力される直流電圧の電圧値を監視し、電圧値によって信号を出力する電圧監視回路と、電圧監視回路の出力信号を受けて第２のリレーを制御したり、外部に警報を出力する制御回路と、制御回路に電力を供給するコンデンサとで構成し、機器が電源断して直流電圧が所定電圧以下に低下すると電圧監視回路から信号を出力して制御回路が第２のリレーをオンし、機器の電源スイッチがオフの場合、第１のリレーはオフして制御回路から警報が出力されず、機器の電源スイッチがオンの場合、第１のリレーもオンしてコンデンサから制御回路に電力供給が行われ、制御回路から外部に警報を出力する。
【０００７】
【実施例】
本発明に係る電源断検出回路の実施例を図１〜図３の添付図面に基づいて説明する。
【０００８】
機器の電源断を検出する電源断検出回路１は、機器の電源をオン・オフするための補助接点２付きの電源スイッチ３と、電源スイッチ３の補助接点２に連動する第１のリレー４と、第１のリレー４と直列に接続された第２のリレー５と、内部回路で使用するための直流電圧ＶＤＤを生成する電源回路６と、直流電圧ＶＤＤの電圧値を監視し、電圧値によって電源断動作信号又はリセット信号を出力する電圧監視回路７と、電圧監視回路７の出力信号を受けて第２のリレー５を制御したり、異常な電源断の際に外部に警報を出力したり、これらの電源断動作を行ったかどうかを判断するための電源断動作終了フラグを保存する制御回路８と、電源断の後で制御回路８に電源断動作を行うために必要な電力を供給するコンデンサ９とで構成している。尚、ダイオード１０とダイオード１１は電源断時の逆流防止用である。
【０００９】
機器を起動すると電源断検出回路１は制御回路８が電源断動作を行ったかどうかを判断するための電源断動作終了フラグをリセットする。起動により電源スイッチ３がオンすると、補助接点２がオンして第１のリレー４はオンし、また、コンデンサ９が充電される。このとき、第２のリレー５はオフしている。
【００１０】
ここで機器が電源スイッチ３のオフによって正常に電源断された場合、まず、電源スイッチ３のオフと同時に補助接点２がオフし、第１のリレー４がオフする。直流電圧ＶＤＤが低下し、電源断動作電圧以下になると電圧監視回路７は電源断動作信号を制御回路８に出力する。制御回路８は電源断動作信号を検出すると、電源断動作終了フラグのリセットを読み取り、第２のリレー５をオンする。第１のリレー４はオフしているため、コンデンサ９から制御回路８に電力供給は行われない。直流電圧ＶＤＤは更に低下してリセット電圧以下になると電圧監視回路７はリセット信号を制御回路８に出力する。制御回路８はリセット信号を検出すると停止する。
【００１１】
また、機器が電源スイッチ３の操作以外によって異常に電源断された場合、直流電圧ＶＤＤが低下し、電源断動作電圧以下になると電圧監視回路７は電源断動作信号を制御回路８に出力する。制御回路８は電源断動作信号を検出すると、電源断動作終了フラグのリセットを読み取り、第２のリレー５をオンする。第１のリレー４はオンしているため、コンデンサ９から制御回路８に電力供給が行われ、直流電圧ＶＤＤが電源オン時の電圧値まで回復する。そして制御回路８は電源断動作信号を検出してからｔ１秒経過すると電源断動作を行う。電源断動作は外部に警報を出力し、警報出力後、電源断動作終了フラグのセットを行い、第２のリレー５をオフする動作である。第２のリレー５がオフすると、直流電圧ＶＤＤが再び低下する。そして、直流電圧ＶＤＤが電源断動作電圧以下になると電圧監視回路７は再び電源断動作信号を制御回路８に出力する。制御回路８は電源断動作信号を検出すると、電源断動作終了フラグを読み取る。電源断動作終了フラグはセットされているので電源断動作は行わない。それから、直流電圧ＶＤＤは更に低下してリセット電圧以下になると電圧監視回路７はリセット信号を制御回路８に出力し、制御回路８はリセット信号を検出すると停止する。
【００１２】
尚、図２に示すように電源断動作信号が出力されてから電源断動作を開始するまでの時間ｔ１秒は、電源断動作信号が出力されてからリセット信号が出力されるまでの時間ｔ２秒より長くなるように設定している。
【００１３】
また、機器への電力供給がない状態で電源スイッチ３のオン・オフを行った場合は、第２のリレー５がオフしており、コンデンサ９から制御回路８に電力供給が行われないため、制御回路８は動作しない。
【００１４】
【発明の効果】
以上説明したように、機器の電源断を検出する電源断検出回路において、機器の電源をオン・オフするための補助接点付きの電源スイッチと、電源スイッチの補助接点に連動する第１のリレーと、第１のリレーと直列に接続された第２のリレーと、内部回路で使用するための直流電圧を生成する電源回路と、電源回路から出力される直流電圧の電圧値を監視し、電圧値によって信号を出力する電圧監視回路と、電圧監視回路の出力信号を受けて第２のリレーを制御したり、外部に警報を出力する制御回路と、制御回路に電力を供給するコンデンサとで構成し、機器が電源断して直流電圧が所定電圧以下に低下すると電圧監視回路から信号を出力して制御回路が第２のリレーをオンし、機器の電源スイッチがオフの場合、第１のリレーはオフして制御回路から警報が出力されず、機器の電源スイッチがオンの場合、第１のリレーもオンしてコンデンサから制御回路に電力供給が行われ、制御回路から外部に警報を出力することにより、機器が異常に電源断された際に警報で知らせることができるという効果がある。
【図面の簡単な説明】
【図１】本発明に係る電源断検出回路の回路図である。
【図２】正常に電源断した場合の電源電圧と時間の関係を示すグラフである。
【図３】異常に電源断された場合の電源電圧と時間の関係を示すグラフである。
【符号の説明】
１…電源断検出回路
２…補助接点
３…電源スイッチ
４…第１のリレー
５…第２のリレー
６…電源回路
７…電圧監視回路
８…制御回路
９…コンデンサ
【図１】
2004112393.tif 000003
【図２】
2004112393.tif 000004
【図３】
2004112393.tif 000005